(57)【要約】【課題】データの書込み不足を解消しながら電気光学素子の発光期間を容易に確保する。【解決手段】単位回路Ｐは、データ線１４に流れるデータ電流Ｉd[j]に応じた電圧Ｖdを保持する容量素子Ｃと、電圧Ｖdに応じて電気光学素子Ｅの輝度を制御する駆動トランジスタＱdrとを含む。階調値Ｄ[j]が範囲Ｒ1内の場合、発光期間Ｐ1での電気光学素子Ｅの発光量が当該階調値Ｄ[j]に応じた発光量となるようにデータ電流Ｉd[j]の電流量が決定され、階調値Ｄ[j]が範囲Ｒ2内の場合、発光期間Ｐ1およびＰ2における電気光学素子Ｅの発光量が当該階調値Ｄ[j]に応じた発光量となるようにデータ電流Ｉd[j]の電流量が決定される。範囲Ｒ1内の階調値Ｄ[j]が指定された場合、容量素子Ｃの電圧Ｖdが発光期間Ｐ1とＰ2との間で除去され、範囲Ｒ2内の階調値Ｄ[j]が指定された場合、発光期間Ｐ1とＰ2とにわたって電圧Ｖdは維持される。【選択図】図２
2007279412.tif 000002
【特許請求の範囲】
【請求項１】
データ線と、
電気光学素子と、
前記データ線に流れるデータ電流に応じた電圧を保持する保持手段と、
前記保持手段が保持する電圧に応じて前記電気光学素子の輝度を制御する駆動手段と、
書込期間にてデータ電流を前記データ線に流す手段であって、前記電気光学素子に第１
範囲内の階調値が指定された場合に、前記書込期間の経過後の第１発光期間における前記
電気光学素子の発光量が当該階調値に応じた発光量となるようにデータ電流の電流量を設
定し、前記第１範囲よりも高階調側の第２範囲内の階調値が指定された場合に、前記第１
発光期間と当該第１発光期間の経過後の第２発光期間とにわたる前記電気光学素子の発光
量が当該階調値に応じた発光量となるようにデータ電流の電流量を設定する電流設定手段
と、
前記第１範囲内の階調値が指定された場合に、前記保持手段が保持する電圧を前記第１
発光期間と前記第２発光期間との間のクリア期間にて除去し、前記第２範囲内の階調値が
指定された場合に、前記保持手段が保持する電圧を前記第１発光期間と前記第２発光期間
とにわたって維持する制御手段と
を具備する電気光学装置。
【請求項２】
前記第１発光期間と前記第２発光期間とは前記クリア期間を挟んで時間軸上で隣接する
請求項１に記載の電気光学装置。
【請求項３】
前記第１範囲内の階調値が指定された場合に当該階調値を出力し、前記第２範囲内の階
調値が指定された場合に当該階調値よりも小さい数値を当該階調値から算定して出力する
第１処理手段を具備し、
前記電流設定手段は、前記第１処理手段が出力した数値に応じた電流量のデータ電流を
前記データ線に流すＤ/Ａ変換器を含む
請求項１または請求項２に記載の電気光学装置。
【請求項４】
前記第１発光期間の時間長と前記第１発光期間および前記第２発光期間の時間長との比
の値は、階調値の最大値と最小値との比の値の平方根に等しく、
前記第１処理手段は、前記第２範囲内の階調値を前記平方根で除算した数値を出力する
請求項３に記載の電気光学装置。
【請求項５】
前記電流設定手段は、前記第２範囲よりも高階調側の第３範囲内の階調値が指定された
場合に、前記第１発光期間と前記第２発光期間と当該第２発光期間の経過後の第３発光期
間とにわたる前記電気光学素子の発光量が当該階調値に応じた発光量となるようにデータ
電流の電流量を設定し、
前記制御手段は、前記第２範囲内の階調値が指定された場合に、前記保持手段が保持す
る電圧を前記第２発光期間と前記第３発光期間との間のクリア期間にて除去し、前記第３
範囲内の階調値が指定された場合に、前記保持手段が保持する電圧を前記第１発光期間と
前記第２発光期間と前記第３発光期間とにわたって維持する
請求項１から請求項４の何れかに記載の電気光学装置。
【請求項６】
前記保持手段が保持する電圧の除去または維持を指示するクリア信号をクリア期間にて
階調値に応じて第１配線に出力する出力手段を具備し、
前記保持手段は、データ電流に応じた電圧を第１電極と第２電極との間に保持する容量
素子を含み、
前記制御手段は、前記第１電極と前記第２電極との間に介在する第１スイッチング素子
を含み、
前記第１スイッチング素子は、前記第１配線に出力されたクリア信号に応じてオン状態
またはオフ状態となる
請求項１から請求項５の何れかに記載の電気光学装置。
【請求項７】
前記保持手段が保持する電圧の除去または維持を指示する信号を階調値に応じて書込期
間内に出力する第２処理手段を具備し、
前記出力手段は、前記第２処理手段が出力した信号をクリア期間まで遅延して前記第１
配線に出力する遅延回路を含む
請求項６に記載の電気光学装置。
【請求項８】
前記第１配線と複数の第２配線との各交差に対応して配置されて各々が前記保持手段と
前記駆動手段と前記制御手段とを含む複数の単位回路と、
前記複数の第２配線に供給される複数のクリア許可信号の各々を順次にアクティブレベ
ルとするクリア許可手段とを具備し、
前記制御手段は、前記第１電極と前記第２電極との間に介在する第２スイッチング素子
を含み、
前記各第２配線に対応した各単位回路の第２スイッチング素子は、当該第２配線に供給
されるクリア許可信号がクリア期間内にアクティブレベルに遷移することでオン状態とな
る
請求項６または請求項７に記載の電気光学装置。
【請求項９】
前記クリア許可手段が前記各第２配線に供給するクリア許可信号は、当該第２配線に対
応した単位回路に設定される前記第１発光期間と前記第２発光期間との間のクリア期間の
うち前半および後半の一方である第１期間にてアクティブレベルとされ、当該単位回路に
設定される前記第２発光期間と当該第２発光期間の経過後の第３発光期間との間のクリア
期間のうち前半および後半の他方である第２期間にてアクティブレベルとされ、
前記出力手段は、前記各単位回路の電気光学素子について前記第１範囲内の階調値が指
定された場合に、前記保持手段が保持する電圧の除去を指示するクリア信号を、当該単位
回路に対応した第１期間にて前記第１配線に出力し、前記第２範囲内の階調値が指定され
た場合に、前記保持手段が保持する電圧の除去を指示するクリア信号を、当該単位回路に
対応した第２期間にて前記第１配線に出力し、前記第２範囲よりも高階調側の第３範囲内
の階調値が指定された場合に、前記保持手段が保持する電圧の維持を指示するクリア信号
を、当該単位回路に対応した第１期間および第２期間において前記第１配線に出力する
請求項８に記載の電気光学装置。
【請求項１０】
請求項１から請求項９の何れかに記載の電気光学装置を具備する電子機器。
【請求項１１】
データ線に流れるデータ電流に応じた電圧を保持する保持手段と、前記保持手段が保持
する電圧に応じて電気光学素子の輝度を制御する駆動手段とを具備する電気光学装置を駆
動する方法であって、
書込期間において前記データ線にデータ電流を流し、
前記電気光学素子に第１範囲内の階調値が指定された場合に、前記保持手段が保持する
電圧を前記書込期間の経過後の第１発光期間と当該第１発光期間の経過後の第２発光期間
との間のクリア期間にて除去し、前記第１範囲よりも高階調側の第２範囲内の階調値が指
定された場合に、前記保持手段が保持する電圧を前記第１発光期間と前記第２発光期間と
にわたって維持し、
前記書込期間においては、前記第１範囲内の階調値が指定された場合に、前記第１発光
期間における前記電気光学素子の発光量が当該階調値に応じた発光量となるようにデータ
電流の電流量を設定し、前記第２範囲内の階調値が指定された場合に、前記第１発光期間
と前記第２発光期間とにわたる前記電気光学素子の発光量が当該階調値に応じた発光量と
なるようにデータ電流の電流量を設定する
ことを特徴とする電気光学装置の駆動方法。
【発明の詳細な説明】
【技術分野】
【０００１】
本発明は、有機発光ダイオード（以下「ＯＬＥＤ（Organic Light Emitting Diode）」
という）素子などの電気光学素子を制御する技術に関する。
【背景技術】
【０００２】
トランジスタ（以下「駆動トランジスタ」という）のゲート電圧に応じて電気光学素子
の階調を制御するアクティブマトリクス型の電気光学装置が従来から提案されている。電
流プログラム方式の電気光学装置においては、駆動回路からデータ線に供給される電流（
以下「データ電流」という）の電流量に応じて駆動トランジスタのゲート電圧が設定され
る。しかしながら、電流プログラム方式のもとでは、データ線に付随する抵抗や容量に起
因してゲート電圧の設定に長時間を要する（データ電流の供給の時間が不足するとゲート
電圧を正確に設定できずコントラストが低下する）という問題がある。
【０００３】
特許文献１や特許文献２は、ひとつのフレーム期間を第１期間と第２期間とに区分する
ことで以上の課題を解決する技術を開示する。高階調が指定された場合には第１期間にて
データ電流をデータ線に供給し、低階調値が指定された場合には第２期間にてデータ線に
データ電流を供給する。この構成によれば、第１期間と第２期間との時間長の比率を適宜
に選定することでゲート電圧の書込の不足が解消される。
【特許文献１】特開２００３−１５６０５号公報
【特許文献２】特開２００６−２３４６０号公報
【発明の開示】
【発明が解決しようとする課題】
【０００４】
しかしながら、特許文献１や特許文献２の技術のもとでは、データ線にデータ電流を供
給する期間（書込期間）をひとつのフレーム期間内に複数回にわたって確保する必要があ
るから、電気光学素子を実際に駆動する期間が制限される可能性がある。以上の事情に鑑
みて、本発明は、電気光学素子を駆動する期間を容易に確保するという課題の解決を目的
としている。
【課題を解決するための手段】
【０００５】
この課題を解決するために、本発明に係る電気光学装置は、データ線と、電気光学素子
と、データ線に流れるデータ電流に応じた電圧を保持する保持手段（例えば図４の容量素
子Ｃ）と、保持手段が保持する電圧に応じて電気光学素子の輝度を制御する駆動手段（例
えば図４の駆動トランジスタＱdr）と、書込期間にてデータ電流をデータ線に流す手段で
あって、電気光学素子に第１範囲（例えば図６や図８の範囲Ｒ1）内の階調値が指定され
た場合に、書込期間の経過後の第１発光期間における電気光学素子の発光量が当該階調値
に応じた発光量となるようにデータ電流の電流量を設定し、第１範囲よりも高階調側の第
２範囲（例えば図７や図８の範囲Ｒ2）内の階調値が指定された場合に、第１発光期間と
当該第１発光期間の経過後の第２発光期間とにわたる電気光学素子の発光量が当該階調値
に応じた発光量となるようにデータ電流の電流量を設定する電流設定手段（例えば図５や
図７の電流設定回路３３）と、第１範囲内の階調値が指定された場合に、保持手段が保持
する電圧を第１発光期間と第２発光期間との間のクリア期間にて除去し、第２範囲内の階
調値が指定された場合に、保持手段が保持する電圧を第１発光期間と第２発光期間とにわ
たって維持する制御手段（例えば図４のトランジスタＱ1やＱ2）とを具備する。
【０００６】
以上の構成によれば、書込期間にてデータ線に流れるデータ電流に応じて保持手段に保
持された電圧が第１発光期間と第２発光期間との間のクリア期間にて選択的に除去または
維持されるから、発光期間ごとにデータ線にデータ電流を供給する（さらに詳細には保持
手段にデータ電流に応じた電圧を保持させる）必要はない。したがって、各発光期間ごと
にデータ電流を供給する必要がある従来の構成と比較して、書込期間や各発光期間の時間
長を充分に確保できるという利点がある。
【０００７】
なお、本発明における電気光学素子とは、電気エネルギの付与（電流の供給や電圧の印
加）によって輝度や透過率といった光学的な特性が変化する要素である。本発明に適用さ
れる電気光学素子について、自身が光を放射する自発光型の素子と外光の透過率を変化さ
せる非発光型の素子（例えば液晶素子）との区別や、電流の供給によって駆動される電流
駆動型の素子と電圧の印加によって駆動される電圧駆動型の素子との区別は不問である。
例えば、ＯＬＥＤ素子や無機ＥＬ素子、フィールド・エミッション（ＦＥ）素子、表面導
電型エミッション（ＳＥ：Surface-conduction  Electron-emitter）素子、弾道電子放出
（ＢＳ：Ballistic  electron  Surface  emitting）素子、ＬＥＤ（Light  Emitting  D
iode）素子、液晶素子、電気泳動素子、エレクトロクロミック素子など様々な電気光学素
子を本発明に利用することができる。
【０００８】
本発明の好適な態様において、第１発光期間と第２発光期間とはクリア期間を挟んで時
間軸上で隣接する。この態様によれば、第１発光期間と第２発光期間とが近接するから、
第１発光期間と第２発光期間との間隔がクリア期間を越える時間長に設定された構成と比
較して、偽輪郭や色ズレといった画像の劣化が抑制される。
【０００９】
ひとつの態様に係る電気光学装置は、第１範囲内の階調値が指定された場合に当該階調
値を出力し、第２範囲内の階調値が指定された場合に当該階調値よりも小さい数値を当該
階調値から算定して出力する第１処理手段（例えば図５や図７の第１処理回路３１１）を
具備し、電流設定手段は、第１処理手段が出力した数値に応じた電流量のデータ電流をデ
ータ線に流すＤ/Ａ変換器を含む。階調値が第２範囲内にある場合に当該階調値よりも小
さい数値を第１処理手段が出力するから、第１発光期間および第２発光期間を含む期間に
わたる電気光学素子の発光量が高い精度で階調値に対応した発光量に設定される。
さらに好適な態様において、第１発光期間の時間長と第１発光期間および第２発光期間
の時間長との比の値は、階調値の最大値と最小値との比の値(Ｎ)の平方根(Ｎ1/2)に等し
く、第１処理手段は、第２範囲内の階調値を平方根で除算した数値を出力する。この態様
によれば、第１範囲内の階調値が指定された場合と第２範囲内の階調値が指定された場合
とでデータ電流の電流値のダイナミックレンジが均一化されるという利点がある。
【００１０】
なお、階調値の区分数（範囲の個数）や発光期間の個数は任意である。例えば、第１範
囲と第２範囲と第３範囲との何れに階調値が属するかに応じて、電気光学素子が実際に駆
動される時間長を３段階に変化させる態様（例えば第２実施形態）も採用される。この態
様において、電流設定手段は、第２範囲よりも高階調側の第３範囲（例えば図８の範囲Ｒ
3）内の階調値が指定された場合に、第１発光期間と第２発光期間と当該第２発光期間の
経過後の第３発光期間とにわたる電気光学素子の発光量が当該階調値に応じた発光量とな
るようにデータ電流の電流量を設定し、制御手段は、第２範囲内の階調値が指定された場
合に、保持手段が保持する電圧を第２発光期間と第３発光期間との間のクリア期間にて除
去し、第３範囲内の階調値が指定された場合に、保持手段が保持する電圧を第１発光期間
と第２発光期間と第３発光期間とにわたって維持する。この態様によれば、発光期間が２
個である構成と比較して、データ電流の電流値のダイナミックレンジが縮小される。
【００１１】
本発明の好適な態様において、保持手段が保持する電圧の除去または維持を指示するク
リア信号をクリア期間にて階調値に応じて第１配線に出力する出力手段（例えば図５の出
力回路３５や図７の第１出力回路３５・第２出力回路３６・論理和回路３８）を具備し、
保持手段は、データ電流に応じた電圧を第１電極と第２電極との間に保持する容量素子を
含み、制御手段は、第１電極と第２電極との間に介在する第１スイッチング素子（例えば
図４のトランジスタＱ1）を含み、１スイッチング素子は、第１配線に出力されたクリア
信号に応じてオン状態またはオフ状態となる。この態様によれば、第１スイッチング素子
によって第１電極と第２電極との接続および絶縁が制御されるから、容量素子の電圧の除
去または維持が簡易な構成によって確実に制御されるという利点がある。
【００１２】
本発明の具体的な態様において、保持手段が保持する電圧の除去または維持を指示する
信号（例えば図５の信号Ｓwや図７の信号Ｓw1・Ｓw2）を階調値に応じて書込期間内に出
力する第２処理手段を具備し、出力手段は、第２処理手段が出力した信号をクリア期間ま
で遅延して第１配線に出力する遅延回路（例えば図５の遅延回路Ｄ）を含む。
【００１３】
さらに具体的な態様に係る電気光学装置は、第１配線（例えば図２の第１制御線１６１
）と複数の第２配線（例えば図２の第２制御線１６２）との各交差に対応して配置されて
各々が保持手段と駆動手段と制御手段とを含む複数の単位回路（例えば図２のひとつの列
に属するｍ個の単位回路Ｐ）と、複数の第２配線に供給される複数のクリア許可信号の各
々を順次にアクティブレベルとするクリア許可手段（例えば図１の走査線駆動回路２２）
とを具備し、制御手段は、第１電極と第２電極との間に介在する第２スイッチング素子（
例えば図４のトランジスタＱ2）を含み、各第２配線に対応した各単位回路の第２スイッ
チング素子は、当該第２配線に供給されるクリア許可信号がクリア期間内にアクティブレ
ベルに遷移することでオン状態となる。この態様によれば、第１スイッチング素子および
第２スイッチング素子の双方がオン状態に遷移することで容量素子の電圧が除去されるか
ら、各々が別個の第２配線に対応する複数の単位回路の各々について、容量素子が保持す
る電圧の除去または維持を、第１配線に供給される共通のクリア信号によって時分割で指
定することが可能となる。したがって、各単位回路に対して別個のクリア信号が供給され
る構成と比較して電気光学装置の構成が簡素化される。
【００１４】
本発明の好適な態様において、クリア許可手段が各第２配線に供給するクリア許可信号
は、当該第２配線に対応した単位回路に設定される第１発光期間と第２発光期間との間の
クリア期間のうち前半および後半の一方である第１期間（例えば図９の第１期間ｔ1）に
てアクティブレベルとされ、当該単位回路に設定される第２発光期間と当該第２発光期間
の経過後の第３発光期間との間のクリア期間のうち前半および後半の他方である第２期間
（例えば図９の第２期間ｔ2）にてアクティブレベルとされ、出力手段は、各単位回路の
電気光学素子について第１範囲内の階調値が指定された場合に、保持手段が保持する電圧
の除去を指示するクリア信号を、当該単位回路に対応した第１期間にて第１配線に出力し
、第２範囲内の階調値が指定された場合に、保持手段が保持する電圧の除去を指示するク
リア信号を、当該単位回路に対応した第２期間にて第１配線に出力し、第２範囲よりも高
階調側の第３範囲内の階調値が指定された場合に、保持手段が保持する電圧の維持を指示
するクリア信号を、当該単位回路に対応した第１期間および第２期間において第１配線に
出力する。
この態様によれば、ひとつの単位回路の容量素子が保持する電圧の除去または維持と他
の単位回路の容量素子が保持する電圧の除去または維持とを、共通のクリア信号によって
ひとつのクリア期間にて時分割で指定することが可能となる。なお、この態様の具体例は
第２実施形態として後述される。
【００１５】
本発明に係る発光装置は各種の電子機器に利用される。この電子機器の典型例は、発光
装置を表示装置として利用した機器である。この種の電子機器としては、パーソナルコン
ピュータや携帯電話機などがある。もっとも、本発明に係る発光装置の用途は画像の表示
に限定されない。例えば、光線の照射によって感光体ドラムなどの像担持体に潜像を形成
するための露光装置（露光ヘッド）、液晶装置の背面側に配置されてこれを照明する装置
（バックライト）、あるいは、スキャナなどの画像読取装置に搭載されて原稿を照明する
装置など各種の照明装置など、様々な用途に本発明の発光装置を適用することができる。
【００１６】
本発明は、保持手段と駆動手段とを具備する電気光学装置を駆動する方法としても特定
される。この駆動方法においては、書込期間においてデータ線にデータ電流を流し、電気
光学素子に第１範囲内の階調値が指定された場合に、保持手段が保持する電圧を書込期間
の経過後の第１発光期間と当該第１発光期間の経過後の第２発光期間との間のクリア期間
にて除去し、第１範囲よりも高階調側の第２範囲内の階調値が指定された場合に、保持手
段が保持する電圧を第１発光期間と第２発光期間とにわたって維持し、書込期間において
は、第１範囲内の階調値が指定された場合に、第１発光期間における電気光学素子の発光
量が当該階調値に応じた発光量となるようにデータ電流の電流量を設定し、第２範囲内の
階調値が指定された場合に、第１発光期間と第２発光期間とにわたる電気光学素子の発光
量が当該階調値に応じた発光量となるようにデータ電流の電流量を設定する。
【００１７】
この方法においては、書込期間にてデータ線に流れるデータ電流に応じて保持手段に保
持された電圧が第１発光期間と第２発光期間との間のクリア期間にて選択的に除去または
維持されるから、発光期間ごとにデータ線にデータ電流を供給する（さらに詳細には保持
手段にデータ電流に応じた電圧を保持させる）必要はない。したがって、各発光期間ごと
にデータ電流を供給する従来の方法と比較して、書込期間や各発光期間の時間長を充分に
確保できるという利点がある。
【発明を実施するための最良の形態】
【００１８】
＜Ａ：第１実施形態＞
図１は、画像を表示する手段として各種の電子機器に使用される電気光学装置の具体的
な形態を示すブロック図である。電気光学装置Ａは、多数の単位回路（画素）Ｐが配列さ
れた素子アレイ部１０と、クロック信号など各種の信号の出力によって各部の動作を制御
する制御回路２０と、各単位回路Ｐを駆動する走査線駆動回路２２およびデータ線駆動回
路２４とを具備する。
【００１９】
図２は、素子アレイ部１０の構成を示すブロック図である。同図に示すように、素子ア
レイ部１０には、Ｘ方向に延在するｍ本の走査線１２１と、Ｘ方向と交差するＹ方向に延
在するｎ本のデータ線１４とが形成される（ｍおよびｎの各々は２以上の自然数）。さら
に、素子アレイ部１０には、各データ線１４と対をなしてＹ方向に延在する第１制御線１
６１と、各走査線１２１に沿ってＸ方向に延在するｍ本の発光制御線１２２およびｍ本の
第２制御線１６２とが形成される。各単位回路Ｐは、走査線１２１・発光制御線１２２お
よび第２制御線１６２の組とデータ線１４および第１制御線１６１の対との各交差に対応
して配置される。したがって、これらの単位回路Ｐは、縦ｍ行×横ｎ列のマトリクス状に
配列する。すなわち、素子アレイ部１０は、Ｘ方向に配列するｎ個の単位回路Ｐからなる
集合（行）のｍ個がＹ方向に沿って並列された領域である。各単位回路Ｐは、電気エネル
ギの供給によって階調が変化する電気光学素子Ｅを含む。各単位回路Ｐには給電線を介し
て電源電位Ｖddが供給される。
【００２０】
走査線駆動回路２２は、素子アレイ部１０のｍ行の各々を順次に選択するための走査信
号ＧWRT[1]〜ＧWRT[m]を生成して各走査線１２１に出力する手段（例えばｍビットのシフ
トレジスタ）である。図３に示すように、走査信号ＧWRT[1]〜ＧWRT[m]の各々は水平走査
期間Ｈごとに順番にハイレベルに遷移する。すなわち、第ｉ行（ｉは１≦ｉ≦ｍを満たす
整数）の走査線１２１に出力される走査信号ＧWRT[i]は、ひとつのフレーム期間のうち第
ｉ番目の水平走査期間Ｈ（以下では特に「書込期間ＰWRT」という場合がある）にてハイ
レベルとなり、それ以外の期間にてローレベルを維持する。
【００２１】
さらに走査線駆動回路２２は、発光制御信号ＧON[1]〜ＧON[m]を生成して各発光制御線
１２２に出力するとともに、クリア許可信号ＧCLR[1]〜ＧCLR[m]を生成して各第２制御線
１６２に出力する。図３に示すように、第ｉ行の発光制御線１２２に出力される発光制御
信号ＧON[i]は、走査信号ＧWRT[i]がハイレベルとなる書込期間ＰWRTの経過後の発光期間
Ｐ1およびＰ2にてハイレベルとなってそれ以外の期間にてローレベルを維持する。発光期
間Ｐ1およびＰ2はクリア期間Ｐcを挟んで時間軸上にて隣接する。本実施形態においては
、クリア期間Ｐcが水平走査期間Ｈの時間長とされた場合を便宜的に例示する。
【００２２】
第ｉ行の第２制御線１６２に出力されるクリア許可信号ＧCLR[i]は、発光制御信号ＧON
[i]がハイレベルとなる発光期間Ｐ1と発光期間Ｐ2との間のクリア期間Ｐcにてハイレベル
となってそれ以外の期間にてローレベルを維持するパルス信号である。したがって、図３
に示すように、クリア許可信号ＧCLR[1]〜ＧCLR[m]の各々は、水平走査期間Ｈごとに順番
にハイレベル（アクティブレベル）に遷移する。
【００２３】
図１のインタフェース回路２３１には、電気光学装置Ａが搭載される電子機器のＣＰＵ
など各種の上位装置から画像信号VIDが供給される。インタフェース回路２３１は、画像
信号VIDに対する画像処理（例えばガンマ補正）によって階調値Ｄ[1]〜Ｄ[n]を生成して
出力する。フレームメモリ２３２は、ひとつのフレームについて階調値Ｄ[1]〜Ｄ[n]を記
憶する手段である。各行に属するｎ個の単位回路Ｐの階調値Ｄ[1]〜Ｄ[n]は順次にフレー
ムメモリ２３２から読み出されて並列に出力される。
【００２４】
階調値Ｄ[j]（ｊは１≦ｊ≦ｎを満たす整数）は、第ｊ列目の各電気光学素子Ｅの階調
を指定する数値である。本実施形態の階調値Ｄ[1]〜Ｄ[n]は８ビットで表現され、最小値
「０」から最大値「２５５」までの２５６段階の何れかに指定される。なお、本実施形態
においては、階調値Ｄ[1]〜Ｄ[n]の各々と電気光学素子Ｅの実際の階調との関係（ガンマ
特性）におけるガンマ値が「１」である場合を想定する。
【００２５】
図１のデータ線駆動回路２４は、データ電流Ｉd[1]〜Ｉd[n]とクリア信号ＳCLR[1]〜Ｓ
CLR[n]とを生成して出力する手段である。図２に示すように、データ線駆動回路２４は、
単位回路Ｐの総列数に相当するｎ個の処理ユニットＵを含む。フレームメモリ２３２から
出力された階調値Ｄ[j]は第ｊ列目の処理ユニットＵに入力される。
【００２６】
図２に示すように、各処理ユニットＵは電流設定回路３３と出力回路３５とを含む。第
ｊ列目に位置する処理ユニットＵの電流設定回路３３は、第ｊ列のデータ線１４に対して
書込期間ＰWRTごとにデータ電流Ｉd[j]を供給する。走査信号ＧWRT[i]がハイレベルとな
る書込期間ＰWRTにおいて、データ電流Ｉd[j]は、第ｉ行に属する第ｊ列目の単位回路Ｐ
の階調値Ｄ[j]に応じた電流量に制御される。第ｊ列目の処理ユニットＵの出力回路３５
は、第ｊ列目の第１制御線１６１に対してクリア期間Ｐcごとにクリア信号ＳCLR[j]を出
力する（クリア信号ＳCLR[j]の波形や役割については後述する）。
【００２７】
なお、図１においては走査線駆動回路２２がひとつの回路（ブロック）として図示され
ているが、走査信号ＧWRT[1]〜ＧWRT[m]を出力する回路と発光制御信号ＧON[1]〜ＧON[m]
を出力する回路とクリア許可信号ＧCLR[1]〜ＧCLR[m]を出力する回路とは、各々が独立の
回路として相互に離間して配置されてもよい。同様に、データ電流Ｉd[1]〜Ｉd[n]を出力
する回路とクリア信号ＳCLR[1]〜ＳCLR[n]を出力する回路とは各々が独立の回路であって
もよい。
【００２８】
次に、図４を参照して、各単位回路Ｐの具体的な構成を説明する。なお、同図において
は第ｉ行に属する第ｊ列目のひとつの単位回路Ｐのみが図示されているが、素子アレイ部
１０を構成する各単位回路Ｐは同様の構成である。
【００２９】
図４に示すように、単位回路Ｐは、給電線から接地線（接地電圧Ｇnd）に至る経路上に
配置された電気光学素子Ｅを含む。本実施形態の電気光学素子Ｅは、相互に対向する陽極
と陰極との間に有機ＥＬ（Electro Luminescence）材料の発光層が介在するＯＬＥＤ素子
である。電気光学素子Ｅは、陽極と陰極との間に流れる電流（以下「駆動電流」という）
ＩELの電流量に応じた輝度（強度）で発光する。電気光学素子Ｅの陰極は接地される。
【００３０】
駆動電流ＩELの経路上（給電線と電気光学素子Ｅとの間）にはｐチャネル型の駆動トラ
ンジスタＱdrが配置される。駆動トランジスタＱdrは、駆動電流ＩELの電流量（すなわち
電気光学素子Ｅの輝度）をゲートの電圧に応じて制御する手段である。駆動トランジスタ
Ｑdrのソースは給電線に接続される。駆動トランジスタＱdrのドレインと電気光学素子Ｅ
の陽極との間には両者の電気的な接続（導通／非導通）を制御するｎチャネル型のトラン
ジスタ（以下「発光制御トランジスタ」という）Ｑelが介在する。第ｉ行の各単位回路Ｐ
における発光制御トランジスタＱelのゲートは第ｉ行の発光制御線１２２に対して共通に
接続される。
【００３１】
第ｊ列の各単位回路Ｐにおける駆動トランジスタＱdrのドレインと第ｊ列目のデータ線
１４との間には両者の電気的な接続を制御するｎチャネル型のトランジスタＱsw1が介在
する。また、駆動トランジスタＱdrのゲートとドレインとの間には両者の電気的な接続を
制御するｎチャネル型のトランジスタＱsw2が介在する。第ｉ行の各単位回路Ｐにおける
トランジスタＱsw1・Ｑsw2の各々のゲートは第ｉ行の走査線１２１に対して共通に接続さ
れる。
【００３２】
駆動トランジスタＱdrのソースとゲートとの間には容量素子Ｃが介挿される。容量素子
Ｃは、電気光学素子Ｅに指定される階調に応じた電圧Ｖd（電荷）を電極Ｅ1と電極Ｅ2と
の間に保持する手段である。電極Ｅ1は駆動トランジスタＱdrのゲートに接続され、電極
Ｅ2は駆動トランジスタＱdrのソース（給電線）に接続される。
【００３３】
容量素子Ｃの電極Ｅ1と電極Ｅ2との間には２個のｎチャネル型のトランジスタＱ1・Ｑ2
が介在する。第ｊ列の各単位回路ＰにおけるトランジスタＱ1のゲートは第ｊ列の第１制
御線１６１に接続される。第ｉ行の各単位回路ＰにおけるトランジスタＱ2のゲートは第
ｉ行の第２制御線１６２に接続される。トランジスタＱ1およびＱ2の双方がオン状態に変
化すると電極Ｅ1と電極Ｅ2とが短絡するから、それまでに容量素子Ｃに保持されていた電
圧Ｖdは除去（クリア）される。これに対し、トランジスタＱ1およびＱ2の一方または双
方がオフ状態である場合には容量素子Ｃの電圧Ｖdは保持される。すなわち、トランジス
タＱ1およびＱ2は、容量素子Ｃに保持された電圧Ｖdを選択的に除去または維持する手段
として機能する。
【００３４】
以上の構成において、書込期間ＰWRTにて走査信号ＧWRT[i]がハイレベルに遷移すると
、トランジスタＱsw2がオン状態に変化することで駆動トランジスタＱdrのゲートとドレ
インとが接続（ダイオード接続）される。このときにトランジスタＱsw1もオン状態とな
っているから、図４に破線の矢印で示すように、電源線から駆動トランジスタＱdrおよび
トランジスタＱsw1を経由してデータ電流Ｉd[j]が第ｊ列目のデータ線１４に流れ込む。
図３に示したように書込期間ＰWRTにおいてはクリア許可信号ＧCLR[i]がローレベルを維
持するから、トランジスタＱ2がオフ状態となって電極Ｅ1と電極Ｅ2とは電気的に分離さ
れる。したがって、容量素子Ｃにはデータ電流Ｉd[j]に応じた電圧Ｖdが保持される（デ
ータ電流Ｉd[j]に応じた電荷が蓄積される）。
【００３５】
書込期間ＰWRTが経過して走査信号ＧWRT[i]がローレベルに遷移するとトランジスタＱs
w1・Ｑsw2はオフ状態となる。したがって、駆動トランジスタＱdrのゲート−ソース間の
電圧は直前の書込期間ＰWRTで容量素子Ｃに保持された電圧Ｖdに維持される。この状態に
おいて発光制御信号ＧON[i]がハイレベルに遷移して発光制御トランジスタＱelがオン状
態に変化すると、駆動トランジスタＱdrのゲート電圧に応じた駆動電流ＩEL（すなわち直
前の書込期間ＰWRTにおけるデータ電流Ｉd[j]の電流量に応じた電流）が電源線から駆動
トランジスタＱdrおよび発光制御トランジスタＱelを経由して電気光学素子Ｅに供給され
、電気光学素子Ｅは駆動電流ＩELに略比例した輝度で発光する。
【００３６】
次に、図５を参照して処理ユニットＵの具体的な構成を説明する。なお、図５には第ｊ
列目の処理ユニットＵのみが図示されているが、データ線駆動回路２４を構成する各処理
ユニットＵは同様の構成である。
【００３７】
図５に示すように、処理ユニットＵは、図２に示した電流設定回路３３と出力回路３５
とに加えてデータ処理回路３１を具備する。データ処理回路３１と電流設定回路３３と出
力回路３５とは、制御回路２０から供給される水平同期信号HCK0に同期して水平走査期間
ごとに動作する。データ処理回路３１は、図６の変換表に基づいて動作する。
【００３８】
データ処理回路３１は、判定回路３１０と第１処理回路３１１と第２処理回路３１２と
を含む。判定回路３１０は、フレームメモリ２３２から供給される階調値Ｄ[j]が範囲Ｒ1
と範囲Ｒ2の何れに属するかを水平走査期間Ｈごとに判定する。範囲Ｒ1は、階調値の最小
値（ゼロ）から所定の閾値ＴＨ1までの範囲である。範囲Ｒ2は、閾値ＴＨ1から階調値の
最大値までの範囲（すなわち範囲Ｒ1よりも高階調側の範囲）である。本実施形態におい
ては、階調値の最小値Ｎminに対する最大値Ｎmaxの比の値Ｎ（＝Ｎmax／Ｎmin）の平方根
Ｎ1/2を閾値ＴＨ1に設定する。すなわち、範囲Ｒ1は最小値Ｎmin以上かつＮ1/2未満の範
囲であり、範囲Ｒ2はＮ1/2以上かつ最大値Ｎmax以下の範囲である。ただし、最小値Ｎmin
は、電気光学素子Ｅを完全に消灯（黒表示）させる階調値であるゼロを含まないものとす
る。本実施形態のように階調値Ｄ[j]が８ビットである場合に比Ｎ（＝256）の平方根Ｎ1/
2は「16」である。したがって、図６に示すように、範囲Ｒ1には「１」から「15」までの
階調値が含まれ、範囲Ｒ2には「16」から「255」までの階調値が含まれる。
【００３９】
第２処理回路３１２は、判定回路３１０による判定の結果に応じて信号Ｓwを生成する
。信号Ｓwは、各単位回路Ｐの容量素子Ｃが保持する電圧Ｖdの除去または維持を水平走査
期間ごとに指定する信号である。図６に示すように、第２処理回路３１２は、階調値Ｄ[j
]が範囲Ｒ1内の数値である場合に信号Ｓwをハイレベルに設定し、階調値Ｄ[j]が範囲Ｒ2
内の数値である場合に信号Ｓwをローレベルに設定する。
【００４０】
図５に示すように、第２処理回路３１２の後段に配置された出力回路３５は２個の遅延
回路Ｄ（例えばＤ−ＦＦ）を含む。ひとつの遅延回路Ｄは、水平同期信号HCK0の１周期分
（水平走査期間Ｈ）だけ信号を遅延させる。したがって、出力回路３５から出力されるク
リア信号ＳCLR[j]は、第２処理回路３１２が出力した信号Ｓwを水平走査期間Ｈの２個分
（２Ｈ）だけ遅延させた信号となる。
【００４１】
図３に示すように、第ｉ行に属する第ｊ列目の単位回路Ｐの階調値Ｄ[j]がフレームメ
モリ２３２から供給される水平走査期間Ｈ（走査信号ＧWRT[i]がハイレベルとなる書込期
間ＰWRT）において、信号Ｓwは当該階調値Ｄ[j]に応じたレベルとなる。また、クリア期
間Ｐcは、書込期間ＰWRTから水平走査期間Ｈの２個分（２Ｈ）だけ遅延した期間である。
したがって、クリア許可信号ＧCLR[i]がハイレベルとなるクリア期間Ｐcにおいて、クリ
ア信号ＳCLR[j]は、第ｉ行に属する第ｊ列目の単位回路Ｐの階調値Ｄ[j]に応じたレベル
となる。すなわち、クリア信号ＳCLR[j]は、書込期間ＰWRTにて容量素子Ｃに保持された
電圧Ｖdの除去または保持を、発光期間Ｐ1の経過後のクリア期間Ｐcにて指定する信号で
ある。
【００４２】
以上に説明したように、第ｉ行に属する第ｊ列目の単位回路Ｐの階調値Ｄ[j]が範囲Ｒ1
内の数値である場合、クリア許可信号ＧCLR[i]がハイレベルとなるクリア期間Ｐcにてク
リア信号ＳCLR[j]はハイレベルとなる。これによって当該単位回路ＰのトランジスタＱ1
およびＱ2はオン状態に変化するから、電極Ｅ1と電極Ｅ2とは電気的に接続される。すな
わち、直前の書込期間ＰWRTにて容量素子Ｃに保持された電圧Ｖdは除去されて駆動トラン
ジスタＱdrのゲート−ソース間の電圧はゼロとなる。したがって、新たなデータ電流Ｉd[
j]に応じた電圧Ｖdが次回の書込期間ＰWRTにて容量素子Ｃに保持されるまで電気光学素子
Ｅは消灯する。
【００４３】
第ｉ行に属する第ｊ列目の単位回路Ｐの階調値Ｄ[j]が範囲Ｒ2内の数値である場合、ク
リア許可信号ＧCLR[i]がハイレベルとなるクリア期間Ｐcにてクリア信号ＳCLR[j]はロー
レベルとなる。したがって、トランジスタＱ2はオン状態となるがトランジスタＱ1はオフ
状態を維持する。すなわち、駆動トランジスタＱdrのゲート電圧は直前の書込期間ＰWRT
にて容量素子Ｃに保持された電圧Ｖdに維持されるから、電気光学素子Ｅは、発光期間Ｐ1
に加えて発光期間Ｐ2においてもデータ電流Ｉd[j]に応じた発光量に制御される。
【００４４】
以上のように本実施形態においては、階調値Ｄ[j]が範囲Ｒ1内の数値である場合（以下
「低階調指定時」という）には発光期間Ｐ1のみにおいて電気光学素子Ｅが発光し、階調
値Ｄ[j]が範囲Ｒ2内の数値である場合（以下「高階調指定時」という）には発光期間Ｐ1
と発光期間Ｐ2とにわたって電気光学素子Ｅが発光する。そこで、低階調指定時において
は発光期間Ｐ1での電気光学素子Ｅの発光量（輝度の時間積分値）が階調値Ｄ[j]に応じた
発光量となり、高階調指定時においては発光期間Ｐ1と発光期間Ｐ2とにわたる電気光学素
子Ｅの発光量が階調値Ｄ[j]に応じた発光量となるように、電流設定回路３３から出力さ
れるデータ電流Ｉd[j]の電流量が決定される。
【００４５】
本実施形態においては、低階調指定時におけるデータ電流Ｉd[j]のダイナミックレンジ
と高階調指定時におけるデータ電流Ｉd[j]のダイナミックレンジとが略等しくなるように
、発光期間Ｐ1の時間長Ｔ1と発光期間Ｐ1およびＰ2の時間長Ｔ2との関係など各種の条件
が設定される。以下では、低階調指定時におけるデータ電流Ｉd[j]の電流値が最小値ＩLm
in（階調値Ｎminの指定時）から最大値ＩLmax（階調値ＴＨ1の指定時）までの範囲に設定
され、高階調指定時におけるデータ電流Ｉd[j]の電流値が最小値ＩHmin（階調値ＴＨ1の
指定時）から最大値ＩHmax（階調値Ｎmaxの指定時）までの範囲に設定される場合を想定
する。
【００４６】
電気光学素子Ｅの輝度がデータ電流Ｉd[j]に略比例すると仮定すれば、発光期間Ｐ1の
みで階調値ＴＨ1を出力（表示）するときの電気光学素子Ｅの発光量は「ＩLmax・Ｔ1」と
なり、発光期間Ｐ1とＰ2とで階調値ＴＨ1を出力するときの発光量は「ＩHmin・Ｔ2」とな
る。双方の発光量が等しい（ＩLmax・Ｔ1＝ＩHmin・Ｔ2）ことを考慮すると式(1)が導出
される。
Ｔ2／Ｔ1＝ＩLmax／ＩHmin
＝Ｋ    ……(1)
【００４７】
低階調指定時におけるデータ電流Ｉd[j]の最小値ＩLminに対する最大値ＩLmaxの比の値
ＳL（＝ＩLmax／ＩLmin）と高階調指定時におけるデータ電流Ｉd[j]の最小値ＩHminに対
する最大値ＩHmaxの比の値ＳH（＝ＩHmax／ＩHmin）とに式(1)を適用すると、低階調指定
時および高階調指定時の各々におけるデータ電流Ｉd[j]の電流値のダイナミックレンジは
以下のように設定される。
(a1) 低階調指定時におけるデータ電流Ｉd[j]の最小値：ＩLmin＝ＩLmax／ＳL＝Ｋ・ＩHm
in／ＳL
(a2) 低階調指定時におけるデータ電流Ｉd[j]の最大値：ＩLmax＝Ｋ・ＩHmin
(b1) 高階調指定時におけるデータ電流Ｉd[j]の最小値：ＩHmin
(b2) 高階調指定時におけるデータ電流Ｉd[j]の最大値：ＩHmax＝ＳH・ＩHmin
【００４８】
低階調指定時と高階調指定時とでデータ電流Ｉd[i]のダイナミックレンジが一致すると
いうことは、低階調指定時および高階調指定時の各々においてデータ電流Ｉd[j]の最小値
と最大値とが一致する（(a1)＝(b1)、(a2)＝(b2)）ことを意味する。したがって、式(2)
および式(3)が導出される。
(a1)＝(b1)：Ｋ・ＩHmin／ＳL＝ＩHmin  →  Ｋ＝ＳL  ……(2)
(a2)＝(b2)：Ｋ・ＩHmin＝ＳH・ＩHmin  →  Ｋ＝ＳH  ……(3)
【００４９】
本実施形態においては、式(2)と式(3)とが成立するように各種の条件が設定される。す
なわち、低階調指定時に電気光学素子Ｅが発光する時間長Ｔ1（発光期間Ｐ1）と高階調指
定時に電気光学素子Ｅが発光する時間長Ｔ2（発光期間Ｐ1・Ｐ2）の比Ｋは、低階調指定
時におけるデータ電流Ｉd[j]の最大値ＩLmaxと最小値ＩLminとの比ＳLと、高階調指定時
におけるデータ電流Ｉd[j]の最大値ＩHmaxと最小値ＩHminとの比ＳHとに等しい。
【００５０】
階調値の最小値Ｎminが指定された場合に電気光学素子Ｅは発光量「ＩLmin・Ｔ1」で発
光し、最大値Ｎmaxが指定された場合に電気光学素子Ｅは発光量「ＩHmax・Ｔ2」で発光す
る。最小値Ｎminから最大値Ｎmaxまでの範囲に各階調値が等間隔に分布する（ガンマ値「
１」）とすれば、階調値の最小値Ｎminに対する最大値Ｎmaxの比の値Ｎに関して式(4)が
導出される。
Ｎ＝Ｎmax／Ｎmin
＝（ＩHmax・Ｔ2）／（ＩLmin・Ｔ1）
＝Ｋ・ＩHmax／ＩLmin
＝Ｋ2    ……(4)    （∵ＩHmax＝ＳH・ＩHmin＝Ｋ・ＩHmin，ＩHmin＝ＩLmin）
【００５１】
本実施形態においては、式(4)が成立するように各種の条件が設定される。すなわち、
低階調指定時に電気光学素子Ｅが発光する時間長Ｔ1（発光期間Ｐ1）と高階調指定時に電
気光学素子Ｅが発光する時間長Ｔ2（発光期間Ｐ1・Ｐ2）の比Ｋは、階調値の最大値Ｎmax
と最小値Ｎminとの比の値Ｎの平方根Ｎ1/2に等しい。本実施形態において平方根Ｎ1/2は
「16」であるから、発光期間Ｐ1の時間長Ｔ1をひとつの水平走査期間（１Ｈ）に設定すれ
ば、発光期間Ｐ2の時間長（Ｔ2−Ｔ1）は水平走査期間の15個分（15Ｈ）とされる。なお
、ここでは説明の便宜のために時間長Ｔ1をひとつの水平走査期間（１Ｈ）としたが、実
際には様々な設計のパラメータに応じて適宜に時間長Ｔ1が決定される。
【００５２】
図５に示すように、本実施形態の電流設定回路３３は、第１処理回路３１１から指定さ
れる階調値ｄ[j]に応じた電流量のデータ電流Ｉd[j]を出力する電流出力型のＤ/Ａ（Digi
tal  to  Analog）変換器である。第１処理回路３１１は、データ電流Ｉd[j]の電流値に
ついて式(2)や式(3)の条件が成立するように（すなわち低階調指定時と高階調指定時とで
ダイナミックレンジが略一致するように）、階調値Ｄ[j]と判定回路３１０による判定の
結果に応じた階調値ｄ[j]を出力する。
【００５３】
図６に示すように、第１処理回路３１１は、階調値Ｄ[j]が範囲Ｒ1内にあると判定回路
３１０が判定した場合には階調値Ｄ[j]を階調値ｄ[j]として出力し、階調値Ｄ[j]が範囲
Ｒ2内にあると判定回路３１０が判定した場合には、階調値Ｄ[j]よりも小さい数値を当該
階調値Ｄ[j]に基づいて算定したうえで階調値ｄ[j]として出力する。本実施形態における
第１処理回路３１１は、範囲Ｒ2内の階調値Ｄ[j]を閾値ＴＨ1（＝Ｎ1/2＝１６）で除算し
た数値を階調値ｄ[j]として出力する。
【００５４】
以上の構成によれば、階調値ｄ[j]の範囲は「１」から「255/16」となるから、ひとつ
の発光期間のみで電気光学素子Ｅを発光させる場合（階調値ｄ[j]の範囲が「1/16」から
「255/16」までに及ぶ場合）と比較してデータ電流Ｉd[j]の電流値の最小値はＮ1/2倍と
なる。すなわち、低階調指定時にも充分な電流量のデータ電流Ｉd[j]がデータ線１４に供
給される。したがって、データ線１４に抵抗や容量が付随する場合であっても、駆動トラ
ンジスタＱdrのゲート電圧を正確に所期値に設定する（データの書込み不足を防止する）
ことが可能である。データ線１４の微細化や本数の増加に伴なってデータ線１４の時定数
（容量や抵抗）は増大するから、画像の高精細化や大型化が要求される電気光学装置Ａに
おいて以上の効果は特に顕著となる。
【００５５】
なお、ひとつの発光期間のみで電気光学素子Ｅを発光させる構成であっても、データ電
流Ｉd[j]のダイナミックレンジが充分に確保される場合には、データの書込み不足が抑制
される可能性はある。しかしながら、この場合には、データ電流Ｉd[j]の電流量の最小値
が引上げられる一方で電流量の最大値が過大となり得るから、データ線１４における電圧
降下が顕在化するという問題がある。本実施形態によれば、データ電流Ｉd[j]の電流量の
最大値ＩHmaxを増加させずに最小値ＩLminが増大するから、データ線１４における電圧降
下の問題は発生しない。
【００５６】
次に、電気光学装置Ａの動作の具体例を説明する。以下では第１列に属する第１行から
第３行までの３個の単位回路Ｐに着目する。、図３に示すように、各単位回路Ｐの階調値
Ｄ[1]は、第１行目が「５」、第２行目が「17」、第３行目が「14」である。
【００５７】
第１行目の階調値Ｄ[1]は範囲Ｒ1内の数値「５」であるから、走査信号ＧWRT[1]がハイ
レベルとなる書込期間ＰWRTにおいては、当該数値「５」に対応した電流値のデータ電流
Ｉd[1]が電流設定回路３３からデータ線１４に出力される。したがって、図３の部分(a)
に示すように、発光制御信号ＧON[1]がハイレベルとなる発光期間Ｐ1にて電気光学素子Ｅ
の輝度は「５」となる。一方、書込期間ＰWRTにて第２処理回路３１２は信号Ｓwをハイレ
ベルに設定するから、クリア許可信号ＧCLR[1]がハイレベルとなるクリア期間Ｐcにてク
リア信号ＳCLR[1]はハイレベルとなる。これによって第１行目の容量素子Ｃの電圧Ｖdは
除去されるから、図３の部分(a)に示すように、発光制御信号ＧON[1]がハイレベルとなる
発光期間Ｐ2において電気光学素子Ｅの発光量はゼロ（消灯）となる。
【００５８】
第２行目の階調値Ｄ[1]は範囲Ｒ2内の数値「17」であるから、走査信号ＧWRT[2]がハイ
レベルとなる書込期間ＰWRTにおいては、第１処理回路３１１による変換後の数値「17/16
」に対応した電流値のデータ電流Ｉd[1]がデータ線１４に供給される。また、クリア許可
信号ＧCLR[2]がハイレベルとなるクリア期間Ｐcにてクリア信号ＳCLR[2]はローレベルと
なるから、容量素子Ｃには発光期間Ｐ1と発光期間Ｐ2とにわたってデータ電流Ｉd[1]に応
じた電圧Ｖdが保持される。したがって、図３の部分(b)に示すように、第２行目の電気光
学素子Ｅの輝度は発光期間Ｐ1とＰ2とにわたって「17/16」に維持され、ひとつのフレー
ム期間における電気光学素子Ｅの発光量は階調値Ｄ[1]に対応した光量「17（＝輝度「17/
16」×発光時間「16」）」となる。第３行目の単位回路Ｐについては第１行目と同様であ
り、電気光学素子Ｅは、図３の部分(c)に示すように、発光期間Ｐ1のみにおいて輝度「14
」で発光する。
【００５９】
以上のように本実施形態においては、書込期間ＰWRTにて容量素子Ｃに保持された電圧
Ｖdが発光期間Ｐ1とＰ2との間のクリア期間Ｐcで階調値Ｄ[j]に応じて選択的に除去また
は維持されるから、階調値Ｄ[j]に応じた電圧Ｖdを容量素子Ｃに書き込む動作（データ電
流Ｉd[j]の供給）はひとつのフレーム期間について１回で足りる。したがって、ひとつの
フレーム期間内に複数回にわたって書込期間ＰWRTを確保する必要がある従来の構成と比
較して、書込期間ＰWRTの時間長や発光期間Ｐ1およびＰ2の時間長を容易に確保できると
いう利点がある。そして、書込期間ＰWRTが充分に確保されると、データ線１４に抵抗や
容量が付随する場合であっても、階調値Ｄ[i]に応じた電圧Ｖdを確実に容量素子Ｃに書き
込むことが可能となる。また、発光期間Ｐ1やＰ2が確保されると、各電気光学素子Ｅの発
光量を充分に確保して高明度の表示が実現されるという利点がある。
【００６０】
ところで、素子アレイ部１０をＸ方向に沿って２分割した各領域の電気光学素子Ｅを別
個の階調に制御する場合（左半分と右半分とで階調を相違させた場合）を想定すると、ひ
とつのフレーム期間のうち電気光学素子Ｅを実際に駆動する各期間の間隔が増大するほど
偽輪郭や色ズレといった画像の劣化が顕在化することが知られている（例えば特許文献２
参照）。本実施形態においては、発光期間Ｐ1とＰ2とがクリア期間Ｐcを挟んで隣接する
から、発光期間Ｐ1とＰ2との間隔がクリア期間Ｐcよりも広く確保された構成と比較して
、偽輪郭や色ズレといった画像の劣化が抑制されるという利点がある。なお、以上のよう
に画像の劣化を抑制するという観点からすると、クリア期間Ｐcの時間長は短いことが望
ましい。したがって、以上の形態において水平走査期間Ｈの時間長としたクリア期間Ｐc
は、実際には水平走査期間Ｈよりも短い時間長とされる。
【００６１】
また、本実施形態においては、電流設定回路３３（Ｄ/Ａ変換器）が設定したデータ電
流Ｉd[j]の電流量によって各電気光学素子Ｅの階調が制御されるから、フレーム期間を区
分した複数のサブフレームの各々について電気光学素子Ｅの発光・消灯を制御する方式（
パルス幅変調方式）の駆動と比較して、各電気光学素子Ｅの光量を容易に増加させること
ができる。また、パルス幅変調方式の駆動と比較して電気光学素子Ｅの階調を微細に調整
（多階調化）できるという利点もある。
【００６２】
＜Ｂ：第２実施形態＞
次に、本発明の第２実施形態について説明する。なお、本実施形態のうち第１実施形態
の各部と機能や作用が共通する要素のついては以上と同じ符号を付してその詳細な説明を
適宜に省略する。また、本実施形態における階調値Ｄ[j]は６ビットで表現され、最小値
「０」から最大値「63」までの６４段階の何れかに指定される。
【００６３】
図７は、本実施形態におけるひとつの処理ユニットＵの構成を示すブロック図であり、
図８は、データ処理回路３１の動作を説明するための変換表である。図７に示すように、
処理ユニットＵの各部はクロック信号HCK1に同期して（クロック信号HCK1の１周期ごとに
）動作する。クロック信号HCK1は、水平走査期間の半分（1/2Ｈ）を１周期とする信号で
ある。
【００６４】
データ処理回路３１の判定回路３１０は、フレームメモリ２３２から供給される階調値
Ｄ[j]が範囲Ｒ1と範囲Ｒ2と範囲Ｒ3の何れに属するかをクロック信号HCK1の周期ごとに判
定する。図８に示すように、範囲Ｒ1は、階調値の最小値（ゼロ）以上かつ閾値ＴＨ1未満
の範囲である。範囲Ｒ2は、閾値ＴＨ1以上かつ閾値ＴＨ2未満の範囲である。範囲Ｒ3は、
閾値ＴＨ2以上かつ階調値の最大値以下の範囲である。本実施形態における閾値ＴＨ1は「
Ｎ1/3」に設定され、閾値ＴＨ2は「Ｎ2/3」に設定される。したがって、図８に示すよう
に、範囲Ｒ1には「１」から「３」までの階調値Ｄ[j]が含まれ、範囲Ｒ2には「４」から
「15」までの階調値Ｄ[j]が含まれ、範囲Ｒ3には「16」から「63」までの階調値Ｄ[j]が
含まれる。
【００６５】
図９は、電気光学装置Ａの動作を説明するためのタイミングチャートである。同図に示
すように、本実施形態における発光制御信号ＧON[i]は、発光期間Ｐ1とＰ2とＰ3とにおい
てハイレベルとなる。発光期間Ｐ1とＰ2との間隔および発光期間Ｐ2とＰ3との間隔は、ひ
とつの水平走査期間に相当する時間長のクリア期間Ｐcである。
【００６６】
階調値Ｄ[j]が範囲Ｒ1内の数値である場合、容量素子Ｃに保持された電圧Ｖdは発光期
間Ｐ1とＰ2との間のクリア期間Ｐcにて除去される。階調値Ｄ[j]が範囲Ｒ2内の数値であ
る場合、容量素子Ｃに保持された電圧Ｖdは発光期間Ｐ2とＰ3との間のクリア期間Ｐcにて
除去される。階調値Ｄ[j]が範囲Ｒ3内の数値である場合、容量素子Ｃに保持された電圧Ｖ
dは発光期間Ｐ1とＰ2とＰ3とにわたって維持される。
【００６７】
発光期間Ｐ1〜Ｐ3の時間長の比は、階調値Ｄ[j]が範囲Ｒ1〜Ｒ3の各々に属する場合の
データ電流Ｉd[j]のダイナミックレンジが均一化される（理想的には一致する）ように、
第１実施形態と同様の手順で決定される。さらに詳述すると、階調値Ｄ[j]が範囲Ｒ1内に
ある場合に電気光学素子Ｅが発光する時間長Ｔ1と範囲Ｒ2内にある場合の発光の時間長Ｔ
2（＝Ｐ1＋Ｐ2）と範囲Ｒ3内にある場合の発光の時間長Ｔ3（＝Ｐ1＋Ｐ2＋Ｐ3）との相対
比は「Ｔ1：Ｔ2：Ｔ3＝１：Ｎ1/3：Ｎ2/3＝１：４：１６」とされる。すなわち、発光期
間Ｐ1の時間長を水平走査期間Ｈとすれば、発光期間Ｐ2の時間長は水平走査期間の３個分
（３Ｈ）であり、発光期間Ｐ3の時間長は水平走査期間の12個分（12Ｈ）である。
【００６８】
図７の第１処理回路３１１は、図８に示すように、階調値Ｄ[j]が範囲Ｒ1内と判定され
た場合には階調値Ｄ[j]を階調値ｄ[j]として出力し、範囲Ｒ2内と判定された場合には階
調値Ｄ[j]を「Ｎ1/3（＝４）」で除算した数値を階調値ｄ[j]として出力し、範囲Ｒ3内と
判定された場合には階調値Ｄ[j]を「Ｎ2/3（＝１６）」で除算した数値を階調値ｄ[j]と
して出力する。したがって、電流設定回路３３から出力されるデータ電流Ｉd[j]の電流値
は、階調値Ｄ[j]の範囲に応じて決定された時間長にわたる電気光学素子Ｅの発光量が当
該階調値Ｄ[j]に応じた発光量となるように設定される。
【００６９】
図９に示すように、クリア許可信号ＧCLR[i]は、発光制御信号ＧON[i]がハイレベルと
なる発光期間Ｐ1およびＰ2の間のクリア期間Ｐcのうちの前半の期間（以下「第１期間」
という）ｔ1と、発光制御信号ＧON[i]がハイレベルとなる発光期間Ｐ2およびＰ3の間のク
リア期間Ｐcのうちの後半の期間（以下「第２期間」という）ｔ2とにおいてハイレベルと
なり、それ以外の期間にてローレベルとなる。したがって、クリア許可信号ＧCLR[i]がハ
イレベルとなる第１期間ｔ1は、走査信号ＧWRT[i]がハイレベルとなる書込期間ＰWRTの後
半の期間の始点ｐ0から「3/2Ｈ」だけ遅延した時機を始点とする時間長「1/2Ｈ」の期間
であり、第２期間ｔ2は、始点ｐ0から「12/2Ｈ」だけ遅延した時機を始点とする時間長「
1/2Ｈ」の期間である。
【００７０】
図７の第２処理回路３１２は、判定回路３１０による判定の結果に応じて信号Ｓw1およ
びＳw2を生成する。信号Ｓw1は、容量素子Ｃの電圧Ｖdを発光期間Ｐ1とＰ2との間で除去
するか否かを指定する信号である。信号Ｓw2は、容量素子Ｃの電圧Ｖdを発光期間Ｐ2とＰ
3との間で除去するか否かを指定する信号である。図８および図９に示すように、第２処
理回路３１２は、階調値Ｄ[j]が供給される書込期間ＰWRTの後半の期間において、当該階
調値Ｄ[j]が範囲Ｒ1内にあれば信号Ｓw1およびＳw2をハイレベルに設定し、階調値Ｄ[j]
が範囲Ｒ2内にあれば信号Ｓw1をローレベルに設定するとともに信号Ｓw2をハイレベルに
設定し、階調値Ｄ[j]が範囲Ｒ3内にあれば信号Ｓw1およびＳw2をローレベルに設定する。
【００７１】
図７に示すように、第２処理回路３１２の後段には第１出力回路３５と第２出力回路３
６と論理和回路３８とが配置される。第１出力回路３５は、３個の遅延回路Ｄによって信
号Ｓw1をクロック信号HCK1の３周期（3/2Ｈ）だけ遅延させた信号Ｓ1を出力する。第２出
力回路３６は、12個の遅延回路Ｄによって信号Ｓw2をクロック信号HCK1の12周期（12/2Ｈ
）だけ遅延させた信号Ｓ2を出力する。論理和回路３８は、信号Ｓ1とＳ2との論理和をク
リア信号ＳCLR[j]として出力する。
【００７２】
以上の構成において、第ｉ行に属する第ｊ列目の単位回路Ｐの階調値Ｄ[j]が範囲Ｒ1内
の数値であれば、クリア信号ＳCLR[j]は、クリア許可信号ＧCLR[i]がハイレベルとなる第
１期間ｔ1にてハイレベルに遷移するとともに第２期間ｔ2においてはローレベルを維持す
る。すなわち、書込期間ＰWRTにて容量素子Ｃに保持された電圧Ｖdは第１期間ｔ1にて除
去されるから、電気光学素子Ｅは発光期間Ｐ1にて発光するとともに発光期間Ｐ2およびＰ
3においては消灯する。また、階調値Ｄ[j]が範囲Ｒ2内の数値であれば、クリア信号ＳCLR
[j]は、クリア許可信号ＧCLR[i]がハイレベルとなる第１期間ｔ1においてはローレベルを
維持するとともに第２期間ｔ2においてはハイレベルに遷移する。この場合には容量素子
Ｃの電圧Ｖdが第２期間ｔ2にて除去されるから、電気光学素子Ｅは発光期間Ｐ1およびＰ2
にて発光するとともに発光期間Ｐ3においては消灯する。さらに、階調値Ｄ[j]が範囲Ｒ3
内の数値であれば、クリア信号ＳCLR[j]は、クリア許可信号ＧCLR[i]がハイレベルとなる
第１期間ｔ1および第２期間ｔ2の何れにおいてもローレベルを維持する。したがって、電
気光学素子Ｅは、発光期間Ｐ1〜Ｐ3の全部において発光する。
【００７３】
次に、電気光学装置Ａの動作の具体例を説明する。以下では第１列に属する第１行から
第３行までの３個の単位回路Ｐに着目する。図９に示すように、各単位回路Ｐの階調値Ｄ
[1]は、第１行目が「５」、第２行目が「３」、第３行目が「１７」である。
【００７４】
第１行目の階調値Ｄ[1]は範囲Ｒ2内の数値「５」であるから、書込期間ＰWRTにおいて
は電流値「5/4」のデータ電流Ｉd[j]に応じた電圧Ｖdが容量素子Ｃに保持される。また、
クリア許可信号ＧCLR[1]がハイレベルとなる第２期間ｔ2にてクリア信号ＳCLR[1]はハイ
レベルに遷移する。これによって容量素子Ｃの電圧Ｖdは第２期間ｔ2にて除去されるから
、図９の部分(a)に示すように、第１行の電気光学素子Ｅは発光期間Ｐ1およびＰ2の各々
にて輝度「5/4」で発光し、発光期間Ｐ3では消灯する。
【００７５】
第２行目の階調値Ｄ[1]は範囲Ｒ1内の数値「３」であるから、書込期間ＰWRTにおいて
は電流値「３」のデータ電流Ｉd[1]に応じた電圧Ｖdが容量素子Ｃに保持される。また、
クリア許可信号ＧCLR[2]がハイレベルとなる第１期間ｔ1にてクリア信号ＳCLR[1]がハイ
レベルに遷移することで容量素子Ｃの電圧Ｖdが除去される。したがって、図９の部分(b)
に示すように、第２行の電気光学素子Ｅは発光期間Ｐ1にて輝度「３」で発光し、発光期
間Ｐ2およびＰ3では消灯する。
【００７６】
第３行目の階調値Ｄ[1]は範囲Ｒ3内の数値「17」であるから、書込期間ＰWRTにおいて
は電流値「17/16」のデータ電流Ｉd[1]に応じた電圧Ｖdが容量素子Ｃに保持される。クリ
ア許可信号ＧCLR[3]がハイレベルとなる第１期間ｔ1および第２期間ｔ2の何れにおいても
クリア信号ＳCLR[1]はローレベルを維持する。したがって、図９の部分(c)に示すように
、第３行の電気光学素子Ｅは発光期間Ｐ1〜Ｐ3の各々にて輝度「17/16」で発光する。
【００７７】
本実施形態においても第１実施形態と同様の効果が奏される。また、本実施形態におい
ては、発光期間Ｐ2に加えて発光期間Ｐ3についても電気光学素子Ｅの発光・消灯が制御さ
れるから、データ電流Ｉd[j]の電流値のダイナミックレンジが第１実施形態と比較して縮
小されるという利点がある。
【００７８】
また、各行における容量素子Ｃの電圧Ｖdがクリア期間Ｐcの前半および後半の一方にて
除去または維持される本実施形態の構成によれば、クリア期間Ｐcの前半および後半の他
方を他行の容量素子Ｃの電圧Ｖdの除去または維持に利用できる。例えば、図９に示すよ
うに、クリア許可信号ＧCLR[1]がハイレベルとなる第２期間ｔ2の直前の1/2Ｈは、クリア
許可信号ＧCLR[4]がハイレベルとなる第１期間ｔ1（発光期間Ｐ1とＰ2との間隔）として
利用される。すなわち、各行に対応した発光期間Ｐ1およびＰ2の間隙における電圧Ｖdの
除去・維持と、他行に対応した発光期間Ｐ2およびＰ3の間隙における電圧Ｖdの除去・維
持とを、共通の第２制御線１６２に供給されるクリア信号ＳCLR[j]によって時分割で指定
できる。したがって、発光期間Ｐ1およびＰ2の間隙における電圧Ｖdの除去・維持と発光
期間Ｐ2およびＰ3の間隙における電圧Ｖdの除去・維持とが別個の信号によって指定され
る構成と比較して電気光学装置Ａの構成が簡素化されるという利点がある。
【００７９】
なお、以上の各形態のようにデータ線１４や第１制御線１６１が複数（ｍ個）の単位回
路Ｐによって共用される電気光学装置Ａ（複数の単位回路Ｐが複数行にわたって配列され
た電気光学装置Ａ）においては、複数のクリア許可信号ＧCLR[1]〜ＧCLR[m]の各々を各行
の単位回路Ｐに出力することで電圧Ｖdの除去・維持を行ごとに指定する構成が好適であ
る。しかしながら、例えば電子写真方式の画像形成装置（印刷装置）において感光体ドラ
ムの露光に利用される電気光学装置Ａ（露光装置）においては、直線状に配列された複数
の電気光学素子Ｅの各々が別個のデータ線１４や第１制御線１６１に接続された構成も採
用される。この構成の電気光学装置Ａにおいては、各行の選択という動作が原理的に不要
となるから、クリア許可信号ＧCLR[i]やこれを伝送する第２制御線１６２は適宜に省略さ
れる。
【００８０】
＜Ｃ：応用例＞
次に、本発明に係る電気光学装置Ａを利用した電子機器について説明する。図１０ない
し図１２には、以上の何れかの形態に係る電気光学装置Ａを表示装置として採用した電子
機器の形態が図示されている。
【００８１】
図１０は、電気光学装置Ａを採用したモバイル型のパーソナルコンピュータの構成を示
す斜視図である。パーソナルコンピュータ２０００は、各種の画像を表示する電気光学装
置Ａと、電源スイッチ２００１やキーボード２００２が設置された本体部２０１０とを具
備する。電気光学装置ＡはＯＬＥＤ素子を電気光学素子Ｅとして使用しているので、視野
角が広く見易い画面を表示できる。
【００８２】
図１１は、電気光学装置Ａを適用した携帯電話機の構成を示す斜視図である。携帯電話
機３０００は、複数の操作ボタン３００１およびスクロールボタン３００２と、各種の画
像を表示する電気光学装置Ａとを備える。スクロールボタン３００２を操作することによ
って、電気光学装置Ａに表示される画面がスクロールされる。
【００８３】
図１２は、電気光学装置Ａを適用した携帯情報端末（ＰＤＡ：Personal  Digital  Ass
istants）の構成を示す斜視図である。情報携帯端末４０００は、複数の操作ボタン４０
０１および電源スイッチ４００２と、各種の画像を表示する電気光学装置Ａとを備える。
電源スイッチ４００２を操作すると、住所録やスケジュール帳といった様々な情報が電気
光学装置Ａに表示される。
【００８４】
なお、本発明に係る電気光学装置Ａが適用される電子機器としては、図１０から図１２
に示した機器のほか、デジタルスチルカメラ、テレビ、ビデオカメラ、カーナビゲーショ
ン装置、ページャ、電子手帳、電子ペーパー、電卓、ワードプロセッサ、ワークステーシ
ョン、テレビ電話、ＰＯＳ端末、プリンタ、スキャナ、複写機、ビデオプレーヤ、タッチ
パネルを備えた機器等などが挙げられる。また、本発明に係る電気光学装置Ａの用途は画
像の表示に限定されない。例えば、光書込型のプリンタや電子複写機といった画像形成装
置においては、用紙などの記録材に形成されるべき画像に応じて感光体を露光する光ヘッ
ド（書込ヘッド）が使用されるが、この種の光ヘッドとしても本発明の電気光学装置Ａは
利用される。
【図面の簡単な説明】
【００８５】
【図１】本発明の第１実施形態に係る電気光学装置の構成を示すブロック図である。
【図２】素子アレイ部とデータ線駆動回路の構成を示すブロック図である。
【図３】電気光学装置の動作を説明するためのタイミングチャートである。
【図４】各単位回路の構成を示す回路図である。
【図５】各処理ユニットの構成を示すブロック図である。
【図６】処理ユニットにおける動作の内容を示すテーブルである。
【図７】第２実施形態に係る各処理ユニットの構成を示すブロック図である。
【図８】処理ユニットにおける動作の内容を示すテーブルである。
【図９】電気光学装置の動作を説明するためのタイミングチャートである。
【図１０】本発明に係る電子機器の形態（パーソナルコンピュータ）を示す斜視図である。
【図１１】本発明に係る電子機器の形態（携帯電話機）を示す斜視図である。
【図１２】本発明に係る電子機器の形態（携帯情報端末）を示す斜視図である。
【符号の説明】
【００８６】
Ａ……電気光学装置、１０……素子アレイ部、Ｐ……単位回路、Ｅ……電気光学素子、２
０……制御回路、２２……走査線駆動回路、２４……データ線駆動回路、Ｑdr……駆動ト
ランジスタ、Ｑel……発光制御トランジスタ、Ｑsw1，Ｑsw2，Ｑ1，Ｑ2……トランジスタ
、Ｃ……容量素子、１２１……走査線、１２２……発光制御線、１４……データ線、１６
１……第１制御線、１６２……第２制御線、Ｕ……処理ユニット、３１……データ処理回
路、３１０……判定回路、３１１……第１処理回路、３１２……第２処理回路、３３……
電流設定回路、３５，３６……出力回路、ＧWRT[i]（ＧWRT[1]〜ＧWRT[m]）……走査信号
、ＧON[i]（ＧON[1]〜ＧON[m]）……発光制御信号、ＧCLR[i]（ＧCLR[1]〜ＧCLR[m]）…
…クリア許可信号、Ｉd[j]（Ｉd[1]〜Ｉd[n]）……データ電流、ＳCLR[j]（ＳCLR[1]〜Ｓ
CLR[n]）……クリア信号、ＰWRT……書込期間、Ｐ1，Ｐ2，Ｐ3……発光期間、Ｐc……ク
リア期間。
【図１】
2007279412.tif 000003
【図２】
2007279412.tif 000004
【図３】
2007279412.tif 000005
【図４】
2007279412.tif 000006
【図５】
2007279412.tif 000007
【図６】
2007279412.tif 000008
【図７】
2007279412.tif 000009
【図８】
2007279412.tif 000010
【図９】
2007279412.tif 000011
【図１０】
2007279412.tif 000012
【図１１】
2007279412.tif 000013
【図１２】
2007279412.tif 000014